(57)【要約】【課題】ＣＤ、ＤＶＤを収納する方式としては、棚にパッケージそのものを収納する方式と、ＣＤ、ＤＶＤレコード盤そのものを積み重ねる方式があるが、前者はスペース、高コストであり、後者は必要とするレコードがどこにあるか捜す手間がかかる問題があった。これに対し、金属バネを使用して、収納箱の個々の収納器にレコードを収納することで、前述の２形式に対する改善策が提供されているが、金属を用いている為、構造、製造工程ともに複雑となり、省スペースはある程度実現しているが、コストの低減については難点がある。【解決手段】ＣＤ、ＤＶＤを収納するための収納板、および、収納板を取り出す装置をすべて単一材料にて作成するために、収納板の上げ下げについては、金属バネではなく梃子を用いて押し出し棒、押し上げ棒の組み合わせで実現した。また、ＣＤ、ＤＶＤの収納については、留め部を収納板に設置し、取り扱いを容易とした。【選択図】図１
2007069980.tif 000002
【特許請求の範囲】
【請求項１】
ＣＤ、ＤＶＤを収納した収納板を上げ、ＣＤ、ＤＶＤをとりだすために、収納板押し出し棒、押し出し棒用梃子、収納用押上げ棒を取り込んだ個別収納ボックス。
【請求項２】
請求項１に記載の収納板で、ＣＤ、ＤＶＤを収納板に収納する為に、収納、取り出し、データの保全を行うための留め部。
【請求項３】
請求項１で記載の個別収納ボックス開閉蓋で、個別収納ボックス開閉蓋の開け閉めに使用する梃子を用いた個別収納ボックス開閉蓋留め。
【発明の詳細な説明】
【技術分野】
【０００１】  本発明は、ＣＤ、ＤＶＤの低コスト、省スペースな収納箱に関するものである。
【背景技術】
【０００２】  ＣＤ、ＤＶＤの収納については、販売されているＣＤレコード、ＤＶＤレコードのパッケージそのものを棚状の入れ物に収納する。また、省スペースの為にレコードそのものを重ねあわせる状態で収納するものもある。また、省スペース、収納箱の低コストを実現するものとしては、バネを用いた収納箱も考案されている。（例えば、特許文献１参照。）。【０００３】
【特許文献１】特願平１０−５４０９５０
【発明の開示】
【発明が解決しようとしている課題】
【０００４】  従来の収納方式では、ＣＤ、ＤＶＤパッケージの棚収納方式では、スペースを多く必要とし、ＣＤ、ＤＶＤレコードの積み重ね方式では、必要とするＣＤ、ＤＶＤレコードがどこにあるか捜す手間を必要とする。また、これらの解決策として考案された特許文献１にある方式では、金属を使用する為、製作工程が単純ではなく、コストも割高であり、ＣＤ、ＤＶＤの取り出しのための制御のための構造も複雑となる。
【０００５】  本発明は、特許文献１での金属バネを用いた収納箱の問題を解決するものであり、低コスト、省スペースな収納箱を実現することを目的とするものである。
【課題を解決するための手段】
【０００６】  本発明は上記目的を達成するために第１の解決手段として、個別収納ボックスを個別収納ボックスを構成要素すべて単一材料（ポリプロピレン樹脂、プラスチック等）にて作成する事により、低コスト化を可能とした。このために、ＣＤ、ＤＶＤを納める収納板を上げ下げするためにバネではなく、収納板押し出し棒、収納板押し上げ棒、および押し上げ棒用梃子を組み合わせることとした。
【０００７】  第２の解決手段として、ＣＤ、ＤＶＤの収納においては、収納板に留め部を設置した。
【０００８】  第３の解決手段として、収納板を納めるための個別収納ボックスに個別収納ボックス蓋を設置した。
【０００９】  第１の課題解決手段による作用は、ＣＤ、ＤＶＤを収納した収納板をあげるために、突起したボタン状の収納板押し出し棒頭部を押し下げることにより、収納板は、押し出し棒用梃子、収納板押し上げ棒の上昇により、収納ボックス上に押し上げられる。これらは、単一材料の使用、および成型により作成可能で、コスト低下を可能とし、また、製作する上で厚さの設定が可能であり、省スペースを実現する。
【００１０】  第２の課題解決手段による作用は、収納板にＣＤ、ＤＶＤの板を留め部に引っ掛けるだけで収納が可能であり、取り出すときは引っかかっているＣＤ、ＤＶＤの板を上に引き上げるだけで行え、扱いが容易となる。また、ＣＤ、ＤＶＤ押さえ部は、収納板からＣＤ、ＤＶＤ押さえ基盤部により、収納板から離れており、データの保全がなされている。
【００１１】  第３の課題解決手段による作用は、個別収納ボックス開閉蓋をあける操作は、個別収納ボックス開閉蓋はずし押しボタンを押すだけで可能で、操作を容易とする。
【発明の効果】
【００１２】  上述したように本発明では、単一材料を使用してすべての構成部品が作成可能で、低コスト、設計により省スペースが可能となる。また、収納板の取り出しは、突起した収納板押し出し棒の頭部を指で押すことにより実施でき操作が容易である。
【００１３】  ＣＤ、ＤＶＤの収納においては、留め部の使用により収納、取り出しが容易で、かつデータの保全がなされている。
【００１４】  収納板の出し入れについては、個別収納ボックス開閉蓋、および個別収納ボックス開閉蓋はずし押しボタンの使用により操作が容易となっている。
【発明を実施するための最良の形態】
【００１５】  以下、本発明の実施の形態を図１〜図１６に基づいて説明する。【００１６】  図１は、ＣＤ、ＤＶＤを収納した収納板１が個別収納ボックス１０より突出した状態で、ＣＤ、ＤＶＤは留め部２にかかっている。収納板１を押し上げるため、収納板押し出し棒３、収納板押し上げ棒４、押し出し棒用梃子９の組み合わせで収納板押し出し棒３を押しさげることにより、収納板押し上げ４が収納板１を押し上げる。収納板押し出し棒３は、押し出し棒仕切り板７ａにより、押し出す時の左右のぶれが防がれている。収納板仕切り板８は、押し出される収納板１の左右のぶれをなくす。【００１７】  個別収納ボックス開閉蓋６は、個別収納ボックス開閉蓋留め５に押し込むことにより、図９の個別収納ボックス開閉蓋留め鍵１９により、閉鎖される。【００１８】  個別収納ボックス開閉蓋６をあけるためには、個別収納ボックス開閉蓋はずし押しボタン２０を押すことにより、個別収納ボックス開閉蓋はずし押し用梃子２１により、個別収納ボックス開閉蓋はずし部２２を押し出し、個別収納ボックス開閉蓋留め鍵１９をはずす。【００１９】  ＣＤ、ＤＶＤの挿入、取り出しのために、留め部２は、ＣＤ、ＤＶＤのデータを保全するための、ＣＤ、ＤＶＤ押さえ基盤部１８、ＣＤ、ＤＶＤを支えるためのＣＤ、ＤＶＤ支え部１７、ＣＤ、ＤＶＤを押さえるためのＣＤ、ＤＶＤ押さえ板１６からなる。【００２０】  図２は、個別収納ボックス１０を複数収納した形態をしめしている。個別収納ボックス１０は、個別収納ボックス支え部に差込、安定させる。この例では、縦に個別収納ボックスが置かれているが、個別収納ボックスは、個別に装着が可能なため、全体を横に設置し、ラベルをみることを可能にする。
【図面の簡単な説明】
【００２１】
【図１】  本発明の実施形態を示す個別収納ボックス構造図
【図２】  個別収納ボックスを複数縦に格納した収納箱の外観図
【図３】  個別収納ボックスを支える収納箱底部の斜めからみた図
【図４】  個別収納ボックスを斜めからみた図
【図５】  収納板を格納している時の収納板押し出し棒の状態の構造図
【図６】  収納板を押し上げている時の収納板押し出し棒の状態の構造図
【図７】  収納板を斜めからみた外観図
【図８】  図７の留め部のＡ−Ａの断面図
【図９】  個別収納ボックス開閉蓋留め
【図１０】  個別収納ボックス開閉蓋はずし押しボタンを斜めからみた図
【図１１】  個別収納ボックス開閉蓋留め外側部分を斜めからみた図
【図１２】  個別収納ボックス開閉蓋かけ部を斜めからみた図
【図１３】  個別収納ボックス開閉蓋を上からみた図
【図１４】  個別収納ボックス開閉蓋を斜めからみた図
【図１５】  個別収納ボックス開閉蓋受け部を斜めからみた図
【図１６】  個別収納ボックス開閉蓋が開いている状態を斜めからみた図
【符号の説明】
【００２２】    １    収納板
２    留め部
３    収納板押し出し棒
４    収納板押し上げ棒
５    個別収納ボックス開閉蓋留め
６    個別収納ボックス開閉蓋
９    押し出し棒用梃子
１０  個別収納ボックス
【図１】
2007069980.tif 000003
【図２】
2007069980.tif 000004
【図３】
2007069980.tif 000005
【図４】
2007069980.tif 000006
【図５】
2007069980.tif 000007
【図６】
2007069980.tif 000008
【図７】
2007069980.tif 000009
【図８】
2007069980.tif 000010
【図９】
2007069980.tif 000011
【図１０】
2007069980.tif 000012
【図１１】
2007069980.tif 000013
【図１２】
2007069980.tif 000014
【図１３】
2007069980.tif 000015
【図１４】
2007069980.tif 000016
【図１５】
2007069980.tif 000017
【図１６】
2007069980.tif 000018